(57)【要約】【課題】画像形成装置への設定操作を軽減することができる画像形成システムを提供する。【解決手段】ホスト１と複数の画像形成装置２が双方向通信をサポートしているネットワーク３で接続された画像形成システムにおいて、画像形成装置２の起動時、設定変更時にその設定を自動的に当該画像形成装置２に送信し、当該画像形成装置２がその設定を記憶する。【選択図】      図１
2005018482.tif 000002
【特許請求の範囲】
【請求項１】
ホストと複数の画像形成装置が双方向通信をサポートしているネットワークで接続された画像形成システムにおいて、画像形成装置の起動時、設定変更時にその設定を自動的に当該画像形成装置に送信し、当該画像形成装置がその設定を記憶することを特徴とする画像形成システム。
【請求項２】
請求項１記載の画像形成システムにおいて、印刷を行うデータと予め記憶されている画像形成装置の設定を照らし合わせることによって、印刷する画像形成装置を自動的に選択することを特徴とする画像形成システム。
【請求項３】
請求項２記載の画像形成システムにおいて、印刷の可能な画像形成装置が複数選択可能な場合に生産性の高い画像形成装置を自動的に選択することを特徴とする画像形成システム。
【請求項４】
請求項２記載の画像形成システムにおいて、印刷を行う画像形成装置を検索する順序を予め指定することが可能で、最初に印刷可能となった画像形成装置に印刷データを送信することを特徴とする画像形成システム。
【請求項５】
請求項２記載の画像形成システムにおいて、データを印刷することが可能な画像形成装置がネットワーク上に存在しない場合には、ネットワーク上に存在する画像形成装置で印刷が行えるようにデータを変更することを特徴とする画像形成システム。
【請求項６】
請求項４記載の画像形成システムにおいて、カラー印刷データの印刷に際しネットワーク上にカラー印刷が可能な画像形成装置が存在しない場合には、印刷データ中の色を指定している箇所を黒に変更して画像形成装置に送信することを特徴とする画像形成システム。
【請求項７】
請求項４記載の画像形成システムにおいて、印刷データ中に後処理指定のコマンドがあるデータでネットワーク上に該後処理が可能な画像形成装置が存在しない場合には、印刷データ中の後処理を指定している箇所を変更しかつ、該後処理の指定コマンドを削除して画像形成装置に送信することを特徴とする画像形成システム。
【請求項８】
請求項４記載の画像形成システムにおいて、印刷データ中に指定された用紙サイズがネットワーク上の画像形成装置に存在しない場合には、印刷データ中の用紙サイズを変更し、印刷データを変倍して画像形成装置に送信することを特徴とする画像形成システム。
【請求項９】
請求項４記載の画像形成システムにおいて、印刷データ中に指定された条件ではネットワーク上の画像形成装置で印刷が不可能な場合には、変更できる条件を予め指定することを特徴とする画像形成システム。
【請求項１０】
請求項４記載の画像形成システムにおいて、印刷データ中に指定された条件ではネットワーク上の画像形成装置で印刷が不可能な場合には、変更する条件と変更後の条件を予め設定することを特徴とする画像形成システム。
【請求項１１】
請求項２記載の画像形成システムにおいて、画像形成装置に送信する印刷データをホストに蓄積することを特徴とする画像形成システム。
【請求項１２】
請求項１１記載の画像形成システムにおいて、画像形成装置に印刷データを送信する際、印刷データを変更した場合にのみ印刷データをホストに蓄積することを特徴とする画像形成システム。
【発明の詳細な説明】
【０００１】
【発明の属する技術分野】
本発明は、ホストと複数の画像形成装置（プリンタ、複写機。ファクシミリ、これらの複合機能を有する複合機）が双方向通信をサポートしているネットワークで接続された画像形成システムに関するものである。
【０００２】
【従来の技術】
ホストと複数の画像形成装置が双方向通信をサポートしているネットワークで接続された画像形成システムに関連して、以下の公知技術がある。
【特許文献１】特開２００２−１３２４７５公報
【特許文献２】特開２００１−１０９６００公報
【特許文献３】特開２００１−３２５０９０公報
【特許文献４】特開２０００−１５５６６０公報
【０００３】
【発明が解決しようとする課題】
ネットワーク等、双方向通信をサポートしている複数の画像形成装置に印刷や設定等の操作を行う際に、その都度画像形成装置に問い合わせていたのでは、余計な時間がかかってしまう。
本発明は、画像形成装置への設定操作を軽減することができる画像形成システムを提供することを目的とする。
【０００４】
【課題を解決するための手段】
上記目的を達成するために、請求項１記載の発明は、ホストと複数の画像形成装置が双方向通信をサポートしているネットワークで接続された画像形成システムにおいて、画像形成装置の起動時、設定変更時にその設定を自動的に当該画像形成装置に送信し、当該画像形成装置がその設定を記憶する画像形成システムを最も主要な特徴とする。
請求項２記載の発明は、請求項１記載の画像形成システムにおいて、印刷を行うデータと予め記憶されている画像形成装置の設定を照らし合わせることによって印刷する画像形成装置を自動的に選択する画像形成システムを主要な特徴とする。
請求項３記載の発明は、請求項２記載の画像形成システムにおいて、印刷の可能な画像形成装置が複数選択可能な場合に生産性の高い画像形成装置を自動的に選択する画像形成システムを主要な特徴とする。
請求項４記載の発明は、請求項２記載の画像形成システムにおいて、印刷を行う画像形成装置の検索する順序を予め指定することが可能で、最初に印刷可能となった画像形成装置に印刷データを送信する画像形成システムを主要な特徴とする。
請求項５記載の発明は、請求項２記載の画像形成システムにおいて、データを印刷することが可能な画像形成装置がネットワーク上に存在しない場合には、ネットワーク上に存在する画像形成装置で印刷が行えるようにデータを変更する画像形成システムを主要な特徴とする。
請求項６記載の発明は、請求項４記載の画像形成システムにおいて、カラー印刷データでネットワーク上にカラー印刷が可能な画像形成装置が存在しない場合には、印刷データ中の色を指定している箇所を黒に変更して画像形成装置に送信する画像形成システムを主要な特徴とする。
請求項７記載の発明は、請求項４記載の画像形成システムにおいて、印刷データ中に後処理指定のコマンドがあるデータでネットワーク上に該後処理が可能な画像形成装置が存在しない場合には、印刷データ中の後処理を指定している箇所を変更しかつ、該後処理の指定コマンドを削除して画像形成装置に送信する画像形成システムを主要な特徴とする。
【０００５】
請求項８記載の発明は、請求項４記載の画像形成システムにおいて、印刷データ中に指定された用紙サイズがネットワーク上の画像形成装置に存在しない場合には、印刷データ中の用紙サイズを変更し、印刷データを変倍して画像形成装置に送信する画像形成システムを主要な特徴とする。
請求項９記載の発明は、請求項４記載の画像形成システムにおいて、印刷データ中に指定された条件ではネットワーク上の画像形成装置で印刷が不可能の場合には、変更できる条件を予め指定する画像形成システムを主要な特徴とする。
請求項１０記載の発明は、請求項４記載の画像形成システムにおいて、印刷データ中に指定された条件ではネットワーク上の画像形成装置で印刷が不可能な場合には、変更する条件と変更後の条件を予め設定する画像形成システムを主要な特徴とする。
請求項１１記載の発明は、請求項２記載の画像形成システムにおいて、画像形成装置に送信する印刷データをホストに蓄積する画像形成システムを主要な特徴とする。
請求項１２記載の発明は、請求項１１記載の画像形成システムにおいて、画像形成装置に印刷データを送信する際、印刷データを変更した場合にのみ印刷データをホストに蓄積する画像形成システムを主要な特徴とする。
【０００６】
【発明の実施の形態】
以下、図面により本発明の実施の形態を詳細に説明する。
図１は本発明の画像形成システムの構成図である。本画像形成システムは、ホスト１と複数の画像形成装置（プリンタ）２（２−１、２−２、２−３）が双方向通信をサポートしているネットワーク３で接続されることで構成される。
図２は本発明の第１の制御例のフローチャートである。画像形成装置２の起動時、設定変更時にその設定を自動的に画像形成装置２に送信し、画像形成装置２が該設定を記憶する処理の流れを示したフローチャートである。以下はこれに従って説明する。
Ｓ１．ユーザが予め印刷を行う候補となる画像形成装置２をホスト１に登録する。
Ｓ２．画像形成装置２が立ち上がる。
Ｓ３．Ｓ１．で登録された画像形成装置２かどうか判断する
Ｓ４．Ｓ３．で登録された画像形成装置２だと判断されたら当該画像形成装置２に設定を送信する。
Ｓ５．送信された設定を当該画像形成装置２は記憶する。
このように、画像形成装置２の起動時、設定変更時にその設定を自動的に当該画像形成装置２に送信し、当該画像形成装置２がその設定を記憶することにより、ユーザの設定操作に余計な時間がかかるのを防ぐことが可能となる。
【０００７】
図３は本発明の第２の制御例のフローチャートである。印刷を行うデータと予め記憶されている画像形成装置２の設定を照らし合わせることによって印刷する画像形成装置２を自動的に選択する処理の流れを示したフローチャートである。以下はこれに従って説明する。
Ｓ１．ホスト１から印刷を行うべき旨の指示を行う（印刷データを作成し送信する）。
Ｓ２．画像形成装置２が印刷データを受信し、印刷データを解析する。
Ｓ３．予め記憶している画像形成装置２のオプション、エミュレーションプログラムを検索し、印刷データに一致する画像形成装置２を決定する。
Ｓ４．Ｓ３．で検索した画像形成装置２にデータを送信する。
このように、印刷を行うデータと予め記憶されている画像形成装置２の設定を照らし合わせ、印刷する画像形成装置２を自動的に選択することにより、ユーザは印刷を行う画像形成装置２を選ぶ手間を省くことができ、画像形成装置２のオプションを意識せず、エラーの処理の低減を図ることが可能となる。
【０００８】
図４は本発明の第３の制御例のフローチャートである。第２の制御例において、印刷の可能な画像形成装置２が複数選択可能な場合に生産性の高い画像形成装置２を自動的に選択する処理の流れを示したフローチャートである。以下は、これに従って説明する。
Ｓ１．ユーザが各画像形成装置２の生産性の要素について登録する。
Ｓ２．ホスト１から印刷を行う指示を出力する。
Ｓ３．画像形成装置２が印刷データを受信し、印刷データを解析する。
Ｓ４．予め記憶している画像形成装置２のオプション、エミュレーションプログラムを検索し、印刷データに一致する画像形成装置２を決定する。
Ｓ５．Ｓ４．で選択された画像形成装置２のうち、最も生産性の高いものを選択する。
Ｓ６．Ｓ５．で検索した画像形成装置２にデータを送信する。
このように、各画像形成装置２を選択する際に比較する要素を予め登録することにより、生産性のより高い画像形成装置２を選択することが可能となる。
図５は本発明の第４の制御例のフローチャートである。第２の制御例において、印刷を行う画像形成装置２を検索する順序を予め指定することが可能で、最初に印刷可能となった画像形成装置２に印刷データを送信する処理の流れを示したフローチャートである。以下は、これに従って説明する。
Ｓ１．各画像形成装置２の検索順を登録する。
Ｓ２．ホスト１から印刷指示を行う。
Ｓ３．画像形成装置２が印刷データを受信し、印刷データを解析する。
Ｓ４．予め記憶している画像形成装置２のオプション、エミュレーションプログラムを検索し、印刷データに一致する画像形成装置２を予め登録された順番に選択する。
Ｓ５．Ｓ４．で検索したうち最初に見つかった画像形成装置２にデータを送信する。
このように、複数の画像形成装置２を登録する際に、画像形成装置２の検索順番も登録しておくことにより、ユーザが画像形成装置２を登録する手間を省くことができ、画像形成装置２を選択する際の処理も簡便化することが可能となる。
【０００９】
図６は本発明の第５の制御例のフローチャートである。第２の制御例において、データを印刷することが可能な画像形成装置２がネットワーク３上に存在しない場合には、ネットワーク３上に存在する画像形成装置２で印刷が行えるようにデータを変更する処理の流れを示したフローチャートである。以下はこれに従って説明する。
Ｓ１．ホスト１から印刷の指示を行う。
Ｓ２．画像形成装置２が印刷データを受信し、印刷データを解析する。
Ｓ３．予め記憶している画像形成装置２のオプション、エミュレーションプログラムを検索し、印刷データに一致する画像形成装置２があるか判断する。
Ｓ４．Ｓ３．において上記の如きプログラムが存在しないと判断された場合には、印刷データと各画像形成装置２の設定との差異を抽出する。
Ｓ５．Ｓ４．において抽出された中から、データを変更することによって印刷が可能となる画像形成装置２を選択する。
Ｓ６．Ｓ５．において選択された画像形成装置２で印刷が行えるように印刷データを変更する。
Ｓ７．Ｓ３．もしくはＳ５．において選択された画像形成装置２に変更した印刷データを送信する。
このように、第２の制御例において、データを印刷することが可能な画像形成装置２がネットワーク３上に存在しない場合には、ネットワーク３上に存在する画像形成装置２で印刷が行えるようにデータを変更することにより、ユーザは特定の画像形成装置２を意識する必要がなくなり、また、エラーの場合の処理を行う手間を省くことが可能となる。
【００１０】
図７は本発明の第６の制御例のフローチャートである。第４の制御例において、カラー印刷データの印刷に際しネットワーク上にカラー印刷が可能な画像形成装置２が存在しない場合には、カラー印刷データ中の色を指定している箇所を黒に変更して、画像形成装置２に送信する処理の流れを示したフローチャートである。以下は、これに従って説明する。
Ｓ１．ユーザが各画像形成装置２の検索順を登録する。
Ｓ２．ホスト１から印刷指示を行う。
Ｓ３．画像形成装置２が印刷データを受信し、印刷データを解析する。
Ｓ４．予め記憶している画像形成装置２のオプション、エミュレーションプログラムを検索し、印刷データに一致する画像形成装置を予め登録された順番に選択する。
Ｓ５．送信できる画像装置２があるか判断する。
Ｓ６．Ｓ４．で検索した画像形成装置２で印刷できるものがない場合には、印刷データと各画像形成装置２の設定との差異を抽出する。
Ｓ７．Ｓ６．において抽出された中から、色を変更することによって印刷が可能となる画像形成装置２を選択する。
Ｓ８．印刷データ中で色を指定している箇所を黒に変更する。
Ｓ９．Ｓ４．もしくはＳ７．において選択された画像形成装置２に変更した印刷データを送信する。
このように、カラー印刷データの印刷に際しネットワーク３上にカラー印刷が可能な画像形成装置２が存在しない場合には、印刷データ中の色を指定している箇所を黒に変更して、画像形成装置２に送信することにより、ユーザが色情報を変更しなくても印刷することが可能となる。
【００１１】
図８は本発明の第７の制御例のフローチャートである。第４の制御例において、印刷データ中に後処理指定のコマンドがあるデータでネットワーク３上に該後処理が可能な画像形成装置２が存在しない場合には、印刷データ中の後処理を指定している箇所を変更しかつ、該後処理の指定コマンドを削除して、画像形成装置２に送信する処理の流れを示したフローチャートである。以下は、これに従って説明する。
Ｓ１．各画像形成装置２の検索順を登録する。
Ｓ２．ホスト１から印刷指示を行う。
Ｓ３．画像形成装置２が印刷データを受信し、印刷データを解析する。
Ｓ４．予め記憶している画像形成装置２のオプション、エミュレーションプログラムを検索し、印刷データに一致する画像形成装置２を予め登録された順番に選択する。
Ｓ５．送信できる画像装置２があるか判断する。
Ｓ６．Ｓ４．で検索した画像形成装置２で印刷できるものがない場合には、印刷データと各画像形成装置２の設定との差異を抽出する。
Ｓ７．Ｓ６．において抽出された中から、後処理を変更することによって印刷が可能となる画像形成装置２を選択する。
Ｓ８．印刷データ中で後処理を指定している箇所を変更する。
Ｓ９．Ｓ４．もしくはＳ７．において選択された画像形成装置２に変更した印刷データを送信する。
このように、印刷データ中に後処理指定のコマンドがあるデータでネットワーク３上に該後処理が可能な画像形成装置２が存在しない場合には、印刷データ中の後処理を指定している箇所を変更しかつ、該後処理の指定コマンドを削除して、画像形成装置２に送信することにより、ユーザが後処理を変更しなくても印刷を行うことが可能となる。
【００１２】
図９は本発明の第８の制御例のフローチャートである。第４の制御例において、印刷データ中に指定された用紙サイズがネットワーク３上の画像形成装置２に存在しない場合には、印刷データ中の用紙サイズを変更し、印刷データを変倍して画像形成装置２に送信する処理の流れを示したフローチャートである。以下は、これに従って説明する。
Ｓ１．各画像形成装置２の検索順を登録する。
Ｓ２．ホスト１から印刷指示を行う。
Ｓ３．画像形成装置２が印刷データを受信し、印刷データを解析する。
Ｓ４．予め記憶している画像形成装置２のオプション、エミュレーションプログラムを検索し、印刷データに一致する画像形成装置２を予め登録された順番に選択する。
Ｓ５．送信できる画像形成装置２があるか判断する。
Ｓ６．Ｓ４．で検索した画像形成装置２で印刷できるものがない場合には、印刷データと各画像形成装置２の設定との差異を抽出する。
Ｓ７．Ｓ６．において抽出された中から、用紙サイズを変更することによって印刷が可能となる画像形成装置２を選択する。
Ｓ８．印刷データ中で用紙サイズを指定している箇所を変更する。
Ｓ９．Ｓ７．で指定した用紙サイズで印刷が行えるように、印刷データを変倍する。
Ｓ１０．Ｓ４．もしくはＳ７．において選択された画像形成装置２に変更した印刷データを送信する。
このように、印刷データ中に指定された用紙サイズがネットワーク３上の画像形成装置２に存在しない場合には、印刷データ中の用紙サイズを変更し、印刷データを変倍して画像形成装置２に送信することにより、ユーザが用紙サイズを変更しなくても印刷を行うことが可能となる。
【００１３】
図１０は本発明の第９の制御例のフローチャートである。第４の制御例において、印刷データ中に指定された条件ではネットワーク３上の画像形成装置では印刷が不可能の場合には、変更できる条件を予め指定することのできる装置の処理の流れを示したフローチャートである。以下は、これに従って説明する。
Ｓ１．各画像形成装置の検索順を登録する。
Ｓ２．印刷データ中で変更できる条件を登録する。
Ｓ３．印刷を行う。
Ｓ４．装置が受信し、印刷データを解析する。
Ｓ５．予め記憶している画像形成装置のオプション、エミュレーションプログラムを検索し、印刷データに一致する画像形成装置を予め登録された順番に選択する。
Ｓ６．送信できる画像形成装置があるか判断する。
Ｓ７．Ｓ５．で検索した画像形成装置で印刷できるものがない場合には、印刷データと各画像形成装置の設定との差異を抽出する。
Ｓ８．Ｓ７．において抽出された中から、Ｓ２．で登録された条件を変更することによって印刷が可能となる画像形成装置を選択する。
Ｓ９．印刷データ中でＳ２．で登録された条件を変更する。
Ｓ１０．Ｓ５．もしくはＳ８．において選択された画像形成装置に変更した印刷データを送信する。
このように、印刷データ中に指定された条件ではネットワーク上の画像形成装置では印刷が不可能の場合には、変更できる条件を予め指定することができることによりユーザが変更されたくない条件を保護することが可能となる。
【００１４】
図１１は本発明の第１０の制御例のフローチャートである。第４の制御例において、印刷データ中に指定された条件ではネットワーク３上の画像形成装置２で印刷が不可能な場合に、変更する条件と変更後の条件を予め設定する処理の流れを示したフローチャートである。以下は、これに従って説明する。
Ｓ１．各画像形成装置２の検索順を登録する。
Ｓ２．印刷データ中で変更できる条件と変更後の条件を登録する。
Ｓ３．ホスト１から印刷指示を行う。
Ｓ４．画像形成装置２が印刷データを受信し、印刷データを解析する。
Ｓ５．予め記憶している画像形成装置２のオプション、エミュレーションプログラムを検索し、印刷データに一致する画像形成装置２を予め登録された順番に選択する。
Ｓ６．送信できる画像形成装置２があるか判断する。
Ｓ７．Ｓ５．で検索した画像形成装置２で印刷できるものがない場合には、印刷データと各画像形成装置２の設定との差異を抽出する。
Ｓ８．Ｓ７．において抽出された中から、Ｓ２．で登録された条件を変更することによって印刷が可能となる画像形成装置２を選択する。
Ｓ９．印刷データ中でＳ２．で登録された条件に変更する。
Ｓ１０．Ｓ５．もしくはＳ８．において選択された画像形成装置２に変更した印刷データを送信する。
このように、印刷データ中に指定された条件ではネットワーク上の画像形成装置２で印刷が不可能な場合には、変更する条件と変更後の条件を予め設定することができることによりユーザが意図しない変更を防ぐことが可能となる。
【００１５】
図１２は本発明の第１１の制御例のフローチャートである。第２の制御例において、画像形成装置２に送信する印刷データをホスト１に蓄積する処理の流れを示したフローチャートである。以下は、これに従って説明する。
Ｓ１．ホスト１から印刷指示を行う。
Ｓ２．画像形成装置２が印刷データを受信し、印刷データを解析する。
Ｓ３．予め記憶している画像形成装置２のオプション、エミュレーションプログラムを検索し、印刷データに一致する画像形成装置２を決定する
Ｓ４．印刷データをホスト１に蓄積する。
Ｓ５．Ｓ３．で検索した画像形成装置２にデータを送信する。
このように、画像形成装置２に送信する印刷データをホスト１に蓄積することにより、ユーザが同じデータを印刷する際に再度印刷データを作り直す手間を省くことが可能となる。
図１３は本発明の第１２の制御例のフローチャートである。第１１の制御例において、画像形成装置２に印刷データを送信する際、印刷データを変更した場合にのみ印刷データをホスト１に蓄積する処理の流れを示したフローチャートである。以下は、これに従って説明する。
Ｓ１．ホスト１から印刷指示を行う。
Ｓ２．画像形成装置２が印刷データを受信し、印刷データを解析する。
Ｓ３．予め記憶している画像形成装置２のオプション、エミュレーションプログラムを検索し、印刷データに一致する画像形成装置２を決定する。
Ｓ４．Ｓ３．において存在しないと判断された場合には、印刷データと各画像形成装置２の設定との差異を抽出する。
Ｓ５．Ｓ４．において抽出された中から、データを変更することによって印刷が可能となる画像形成装置２を選択する。
Ｓ６．印刷データをホスト１に蓄積する。
Ｓ７．Ｓ５．において選択された画像形成装置２で印刷が行えるように印刷データを変更する。
Ｓ８．Ｓ３．もしくはＳ５．において選択された画像形成装置２に変更した印刷データを送信する。
このように、画像形成装置２に印刷データを送信する際に印刷データを変更した場合にのみ印刷データをホスト１に蓄積することにより、蓄積させておく容量を節約でき、後に必要とされるデータのみを蓄積することが可能となる。
【００１６】
【発明の効果】
以上説明したように、請求項１によれば、ホストと複数の画像形成装置が双方向通信をサポートしているネットワークで接続された画像形成システムにおいて、画像形成装置の起動時、設定変更時にその設定を自動的に当該画像形成装置に送信し、当該画像形成装置がその設定を記憶することにより、ユーザが設定操作する際、画像形成装置に問い合わせる必要がなくなり、設定操作の作業負担を軽減することが可能となる。
請求項２によれば、印刷を行うデータと予め記憶されている画像形成装置の設定を照らし合わせることによって印刷する画像形成装置を自動的に選択することにより、画像形成装置を選択する手間を省くことが可能となる。
請求項３によれば、各画像形成装置を選択する際に比較する要素を予め登録することにより、生産性のより高い画像形成装置を選択することが可能となる。
請求項４によれば、複数の画像形成装置を登録する際に、装置が検索する順番も登録しておくことにより、ユーザが画像形成装置を登録する手間を省くことができ、画像形成装置を選択する際の処理も簡便化することが可能となる。
請求項５によれば、ネットワーク上に存在する画像形成装置で印刷が行えるようにデータを変更することにより、ユーザが印刷データを変更することなく印刷を行うことが可能となる。
請求項６によれば、カラー印刷データでネットワーク上にカラー印刷が可能な画像形成装置が存在しない場合には、印刷データ中の色を指定している箇所を黒に変更して画像形成装置に送信することにより、ユーザが色情報を変更しなくても印刷することが可能となる。
【００１７】
請求項７によれば、印刷データ中に後処理指定のコマンドがあるデータでネットワーク上に該後処理が可能な画像形成装置が存在しない場合には、印刷データ中の後処理を指定している箇所を変更しかつ、該後処理の指定コマンドを削除して画像形成装置に送信することにより、ユーザが後処理を変更しなくても印刷を行うことが可能となる。
請求項８によれば、印刷データ中に指定された用紙サイズがネットワーク上の画像形成装置に存在しない場合には、印刷データ中の用紙サイズを変更し、印刷データを変倍して画像形成装置に送信することにより、ユーザが用紙サイズを変更しなくても印刷を行うことが可能となる。
請求項９によれば、印刷データ中に指定された条件ではネットワーク上の画像形成装置では印刷が不可能の場合には、変更できる条件を予め指定することができることにより、変更されたくない条件を保護することが可能となる。
請求項１０によれば、印刷データ中に指定された条件ではネットワーク上の画像形成装置では印刷が不可能な場合には、変更する条件と変更後の条件を予め設定することができることにより、ユーザが意図しない変更を防ぐことが可能となる。
請求項１１によれば、画像形成装置に送信する印刷データをホストに蓄積することにより、同じデータを印刷する際に再度印刷データを作り直す手間を省くことが可能となる。
請求項１２によれば、画像形成装置に印刷データを送信する際に印刷データを変更した場合にのみ印刷データをホストに蓄積することにより、蓄積させておく容量を節約でき、後に必要とされるデータのみを蓄積することが可能となる。
【図面の簡単な説明】
【図１】本発明の画像形成システムの構成図である。
【図２】本発明の第１の制御例のフローチャートである。
【図３】本発明の第２の制御例のフローチャートである。
【図４】本発明の第３の制御例のフローチャートである。
【図５】本発明の第４の制御例のフローチャートである。
【図６】本発明の第５の制御例のフローチャートである。
【図７】本発明の第６の制御例のフローチャートである。
【図８】本発明の第７の制御例のフローチャートである。
【図９】本発明の第８の制御例のフローチャートである。
【図１０】本発明の第９の制御例のフローチャートである。
【図１１】本発明の第１０の制御例のフローチャートである。
【図１２】本発明の第１１の制御例のフローチャートである。
【図１３】本発明の第１２の制御例のフローチャートである
【符号の説明】
１  ホスト
２  画像形成装置
３  ネットワーク
【図１】
2005018482.tif 000003
【図２】
2005018482.tif 000004
【図３】
2005018482.tif 000005
【図４】
2005018482.tif 000006
【図５】
2005018482.tif 000007
【図６】
2005018482.tif 000008
【図７】
2005018482.tif 000009
【図８】
2005018482.tif 000010
【図９】
2005018482.tif 000011
【図１０】
2005018482.tif 000012
【図１１】
2005018482.tif 000013
【図１２】
2005018482.tif 000014
【図１３】
2005018482.tif 000015